(57)【要約】【課題】  従来にない構造であり、ユニークな動作が見られ、しかも手で持って操ったりアクセサリー化して他の物品に取り付けることが出来るような、興趣ある起上り小法師を提供する。【解決手段】  基体に起上り小法師が起上り自在に設けられており、手で持ったり他の物体に取り付けたりするための支軸が前記基体を回転させ得るように設けられていることを特徴とする。なお前記支軸の他側が前記取り付け物体であるボールペンや鉛筆キャップなどの筆記具に取り付けられているものとすることができる。【選択図】図４
2008136828.tif 000002
【特許請求の範囲】
【請求項１】
基体に起上り小法師が起上り自在に設けられており、手で持ったり他の物体に取り付けたりするための支軸が前記基体を回転させ得るように設けられていることを特徴とする、起上り小法師。
【請求項２】
起上り小法師が人形とその下部に設けられた重りとから成り、この人形と重りとの間に設けた軸部によって前記基体に対して起上り自在に取り付けられており、且つ前記基体が中空体でありこの中空体の内部に前記重り部分が隠れると共に、前記人形が中空体の外に出て揺動自在となるように設けられている、請求項１に記載の起上り小法師。
【請求項３】
前記支軸の一側が前記基体に対して回転自在に取り付けられているか、または支軸の他側がこの支軸を取り付ける物体に対して回転自在に取り付けられている、請求項１に記載の起上り小法師。
【請求項４】
前記支軸の他側が前記取り付け物体であるボールペンや鉛筆キャップなどの筆記具に取り付けられている、請求項１に記載の起上り小法師。
【請求項５】
前記支軸の他側が前記取り付け物体である吸盤や磁石などの接着具に取り付けられている、請求項１に記載の起上り小法師。
【請求項６】
前記支軸の他側が前記取り付け物体であるストラップなどの吊下げ紐に取り付けられている、請求項１に記載の起上り小法師。
【請求項７】
前記起上り小法師が中空体であり、この中空体の内部に前記重りを移動自在に納めたものである、請求項１に記載の起上り小法師。
【請求項８】
前記基体の側に前記起上り小法師が起き上がる傾向を増すための重りが取り付けられている、請求項１に記載の起上り小法師。
【発明の詳細な説明】
【技術分野】
【０００１】  この発明は、これまでの起上り小法師にはない構造とユニークな動きが見られる、興趣ある起上り小法師に関するものである。
【背景技術】
【０００２】  従来の一般的な構造の起上り小法師の一例として次のようなものを上げることが出来る。すなわち特開２０００−３５４６８９号の「起上りこぼし」は、木製の球状の頭部と、この頭部と一体的に設けられた木製の柱状の胴部と、この胴部の下部に設けられた金属性の半球形状の重り部とから成るものであり、重り部に鉄材を使用したことにより重り部の起上り機能が十分に発揮され、安定かつ確実に起上り動作が行われると言うものである。【０００３】  このように上側が軽く下側が重くなるように作られた構造体で、しかも下側の底面形状が舟底でありロッキング可能なものとして設けられたものであれば、一旦は傾倒させられても下側が重いために起き上がり、この際に下側の底面形状によって揺動運動を行なうことになる。
【特許文献１】特開２０００−３５４６８９号公報
【発明の開示】
【発明が解決しようとする課題】
【０００４】  しかしながら上述した特開２０００−３５４６８９号の「起上りこぼし」を含めて従来の起上り小法師では、すでにその構造が在り来りのものとなっており、その揺動運動（起上り動作）は非常に単調であり、見ていても直ぐに飽きてしまうと言うのが現状である。【０００５】  また起上り小法師を手で持って操ったりアクセサリー化して文房具などに付属させたいと考えたとしても、従来の起上り小法師では下側が重く舟底でありこの部位を以て机上などに置かれなくてはならないと言う制約により、そのような考えは実現不可能とされていたのである。【０００６】  そこでこの発明の課題は、従来にない構造であり、ユニークな動作が見られ、しかも手で持って操ったりアクセサリー化して他の物品に取り付けることが出来るような、興趣ある起上り小法師を提供することにある。
【課題を解決するための手段】
【０００７】  上記課題は、基体に起上り小法師が起上り自在に設けられており、手で持ったり他の物体に取り付けたりするための支軸が前記基体を回転させ得るように設けられていることを特徴とする、起上り小法師とすることにより達成される。【０００８】  先ずこの発明の起上り小法師は、前記支軸を以て手で持ったり他の物体に取り付けたりすることを可能にしている。これはこの支軸が基体に取り付けられており、この基体に起上り小法師が設けられた構成としていることによる。すなわち従来であれば机上などに置かれなくてはならない起上り小法師が、基体に対して起上り自在に設けられているため、言わば基体が上記机の役割を果たしているものと考えることが出来る。しかもこの基体は支軸の存在によって手で持ったり、他の物体に取り付けることを可能にしている。【０００９】  さらにこの支軸が前記基体を回転させ得るように設けられていることにより、支軸がどのような方向に傾いたとしても基体に対して起上り小法師を起すことが出来ると言う特徴を有するのである。起上り小法師は常に基体に対して正立する方向に重りによって付勢されており、このことはまた基体の重心を下げることにもなり、この結果基体が支軸を回って起上り小法師を起す方向に運動するのである。これは極めてユニークで興趣に富むものである。なお支軸が基体を回転させ得るように設けられていないとすると上述したような動きは起らず、支軸が傾く方向によっては起上り小法師も傾いてしまい、それ本来の起き上がる動きを見ることは出来ないのである。【００１０】  次に、前記起上り小法師が人形とその下部に設けられた重りとから成り、この人形と重りとの間に設けた軸部によって前記基体に対して起上り自在に取り付けられており、且つ前記基体が中空体でありこの中空体の内部に前記重り部分が隠れると共に、前記人形が中空体の外に出て揺動自在となるように設けられているものとしても良い。人形は一般的には具象形状のものを指すが、ここではサイコロ形状のような抽象体なども含まれるものとする。また人形の素材は任意であって、例えば縫いぐるみなども実現可能である。【００１１】  中空体の基体の内部に起上り小法師の重り部分が隠されている構成のため、外から見ていて、基体とこの基体に対して起き上がり揺動する人形部分とが見られるようなものを提供することが出来る。【００１２】  また前記支軸の一側が前記基体に対して回転自在に取り付けられているか、または支軸の他側がこの支軸を取り付ける物体に対して回転自在に取り付けられているものを提供することが可能である。【００１３】  支軸が基体を回転させ得るように設けられていると言う場合、支軸と基体とを付ける部位で回転自在とする構成の他、支軸と基体とを固定的に結合してしまい支軸とこの支軸を取り付ける物体とを付ける部位で回転自在とする構成や、支軸の両端側で回転自在とする構成や、支軸の両端側を固定的な取り付けにして支軸そのものを回転自在なものとする構成などがあり、自由に選択採用することが可能である。その何れにしても、支軸の傾斜に関わらず起上り小法師を起した状態とすることが出来るのである。【００１４】  また前記支軸の他側が前記取り付け物体であるボールペンや鉛��キャップなどの筆記具に取り付けられているものとすることが出来る。この場合、支軸を筆記具の側で回転自在とする構成や、支軸を基体の側で回転自在とする構成が任意に採用可能である。筆記具としては、ボールペン、ボールペンキャップ、鉛筆キャップク、消しゴムカスを掃くブラシ付きのキャップ、消しゴム、スティック状のノリの容器、ペンケース等々を上げることが出来、その種類を問わない。【００１５】  この発明の起上り小法師は大きくも小さくも構成することが可能である。比較的小型のものを上述したような筆記具に設けておけば、筆記具の使用中に、筆記具がどのような姿勢にあろうとも、起上り小法師が起きている状態や起き上がりざまに揺動する様子が見られて楽しい。たとえ筆記具を机上に置いて横たわる姿勢を取らせようとも、起上り小法師が起き上がってくる情景には強い興趣を催さざるを得ないであろう。【００１６】  また前記支軸の他側が前記取り付け物体である吸盤や磁石などの接着具に取り付けられているものとすることが出来る。既に明らかであるように支軸を接着具の側で回転自在とする構成や、支軸を基体の側で回転自在とする構成などが任意に採用可能である。接着具としては上述した吸盤や磁石の他、粘着材や挟みなどが任意に採用可能である。【００１７】  例えば支軸に吸盤を付けておけば、この吸盤を以て自動車のフロントガラスに取り付けることが出来るし、支軸に磁石を付けておけば、この磁石を以て冷蔵庫のドアなどの金属部分に取り付けておくことが出来るのである。自動車の振動や冷蔵庫のドアの開け閉めで起上り小法師が揺動する様は、大人でも見ていて楽しいものである。【００１８】  また前記支軸の他側が前記取り付け物体であるストラップなどの吊下げ紐に取り付けられているものとすることが出来る。近年携帯電話が一般化して、これに取り付けるいわゆるケータイストラップが多品種出回っている。この他のアクセサリーとしては人形などを吊り下げたキーホルダーや、首からネームを下げるためのネックストラップなど多数のものがある。このようなケータイストラップやキーホルダーにこの発明の起上り小法師を取り付けるのである。【００１９】  起上り小法師がケータイストラップなどに設けられていると、常に振られておりその揺れも方向が定まらないが、それがかえって起上り小法師に思わぬ動きを付けたりするのである。それはまた見ている者を愉快な気分にさせる。【００２０】  また前記起上り小法師が中空体であり、この中空体の内部に前記重りを移動自在に納めたものとしても良い。例えば起上り小法師を薬のカプセルのような中空形状としてこの中に鉄のビー玉を納めたものなどとする。そしてカプセルの中央部に設けた回転軸などによってカプセルを基体に回転自在に取り付けるようにするのである。【００２１】  このビー玉はカプセルの中では自由に移動することが出来、必然的にカプセルの下側にビー玉が来るのである。従って常に起き上がろうとする傾向を持つものの、強い揺れがこの起上り小法師に加えられたりするとカプセルの上下が反転することもあり、動きに一層の変化を与えることが出来るのである。【００２２】  また前記基体の側に前記起上り小法師が起き上がる傾向を増すための重りが取り���けられているものとしても良い。すなわち前記基体の底部に重りを取り付けるようにする。あるいは前記支軸の一側を前記基体に固定して支軸の他側をこの支軸を取り付ける物体に対して回転自在にすると共に、基体の側が起上り小法師よりも下側となる時の支軸の下側に重りを取り付けるようにするのである。【００２３】  これは例えば、起上り小法師に比較的重量のある素材を用いたり装飾を多用して重量が比較的大きくなってしまうような場合などに、基体側の重量を大きくすることによって、基体が支軸を回して起上り小法師を起す傾向を増加させようと言うものである。
【発明の効果】
【００２４】  この発明は、第１に支軸が基体に取り付けられており、この基体に起上り小法師が設けられた全く新しい構成としたものである。これにより支軸を以て、手で持ったり他の物体に取り付けたりすることを可能にしている。第２にこの支軸が基体を回転させ得るように設けられていることにより、支軸がどのような方向に傾いたとしても基体に対して起上り小法師を起すことが出来るのである。このようにしてこれまでの起上り小法師にはない構造とユニークな動きが見られる興趣ある起上り小法師となり、その用途も筆記具に取り付けるなど多種分野に拡大している。
【発明を実施するための最良の形態】
【００２５】  第１実施形態
この実施形態の起上り小法師１を図１乃至図３を用いて説明する。この起上り小法師１は机などの上に置かれるものではなく、回転持手５を手で持って遊ぶものである。合成樹脂製の中空の頭部２はその下部に設けた振子２０を以て、合成樹脂製の中空の胴部４の中にそのスリット４０部分から挿入されており、胴部４の中で回動軸２１を以て胴部４に回動自在に取り付けられていると共に振子２０の下部に半球状の鉄製の重り３が設けられている。従って頭部２はスリット４０に沿って揺動自在であり、頭部２は胴部４に対して起上り小法師として動作するようになっている。また胴部４の底部には軸受４１が設けられており、ここに回転持手５が回転自在に挿入されている。【００２６】  そこで図２で表わしたように回転持手５を持って起上り小法師１を徐々に傾斜させて行くと、半球状の鉄製の重り３の作用によって重り３は頭部２に鉛直姿勢を取らせようとして振子２０が回動軸２１を回る動作を行なう。従って頭部２は胴部４に対していつも起上っている。この振子２０は胴部４のスリット４０部分を通るものであるから、スリット４０の最大幅まで回動する自由がある。【００２７】  この傾斜動作をさらに進めて起上り小法師１を寝かした状態にしたものを図３で表わす。手で持った回転持手５に対して胴部４が回転自在に設けられていることと、胴部４の中で重り３が下方に存在することによって、胴部４は回転持手５を回って頭部２に鉛直姿勢を取らせようとする。従ってここでも頭部２は胴部４に対していつも起上っているのである。このように起上り小法師１を傾斜させる過程では、胴部４が回転持手５を回る動作と上述した振子２０が回動軸２１を回る動作とが行われていることになる。【００２８】  第２実施形態
上述した第１実施形態の起上り小法師１は回転持手５を手で持って遊ぶものであったが、この実施形態の起上り小法師１０は図４で表わすように、胴部４２がボールペン６に対して回転軸５０を以て回転自在に取り付けられている点に特徴を有する。特に回転軸５０の一端部が胴部４２に固定されており、その他端部がボールペン６の頭の部分に設けられた軸受けの穴に挿入されて回転自在とされている。【００２９】  図中で符号２２は頭部を指し、符号４２は胴部を、符号４３はスリットを指している。これ等の内部構成は上述した第１実施形態の起上り小法師１の内部構成に倣うが、頭部２２は縫いぐるみとなっている。このようにこの発明で用い得る各部の素材に限定はない。なおこの実施形態では起上り小法師２はボールペン６に回転自在に取り付けられているが、ボールペン６以外としては鉛筆キャップや消しゴムなどの任意の筆記具と組み合わせても面白く、また筆記具以外にも吸盤や磁石や粘着材や挟みなどの接着具に取り付けたり、携帯電話のストラップなどの吊下げ紐に取り付けるなどの任意構成が可能である。【００３０】  第３実施形態
この実施形態の起上り小法師１１を図５を用いて説明するが、断面形状がＵ字状である基体４４はその底部に設けた軸受４５に回転持手５１が回転自在に取り付けられたものであるが、この基体４４のＵ字状の内部に回動軸２４を以て中空の頭部２３が回動自在に取り付けられており、この頭部２３の内部に重り３０が納められた構造となっている点に特徴を有する。【００３１】  このため頭部２３を強制的に回動させると重り３０は低い方へ低い方へと頭部２３の中を移動し、重り３０のある時の側を下側として頭部２３が起上り小法師としての作用を表わすのである。このようにこの発明では起上り小法師にどのようなものを利用しようとも限定はない。【００３２】  第４実施形態
次にこの実施形態の起上り小法師１２は、上述した第３実施形態の起上り小法師１１の構成にほぼ倣うものであるが、重り３１が頭部２３の底に固定的に設けられている点で異なるものとなっている（図６）。【００３３】  このため外観的には第３実施形態の起上り小法師１１であるものの頭部２３は回転せず一定の範囲で回動動作を行うのみであり、第１実施形態の起上り小法師１の動作に近い。【００３４】  第５実施形態
次にこの実施形態の起上り小法師１３は、上述の第３実施形態の起上り小法師１１の構成に類似するが、基体４４が頭部２３の外側に設けられているのに対して、基体４６が頭部２５を部分的に左右に分割する溝部２６の中に挿入されており、先端部に設けられた回動軸２７を以て頭部２５を回動自在に軸支している点と、前記溝部２６で左右に分割された頭部２５の各々の内部に重り３２が納められている点とに特徴を有する（図７）。前記重り３２，３２は円柱形状を呈しており頭部２５の中を転動自在である。また次の実施形態でも述べるように、頭部２５の揺動範囲は前記溝部２６が形成されている範囲となっている。前記棒状の基体４６は回転軸４７を以て回転持手５２に回転自在に取り付けられている。【００３５】  この実施形態によれば頭部２５を強制的に揺動させると左右の重り３２，３２は低い方へと頭部２５の中を移動して、重り３２のある時の側を下側として頭部２５が起上り小法師としての作用を表わす。そして手で持った回転持手５２に対して胴部４６が回転軸４７により回転自在に設けられていることと、基体４６の回動軸２７に対して重り３２，３２が下方に存在することによって、基体４６は回転持手５２を回って頭部２５に鉛直姿勢を取らせようとするため、頭部２５は基体４６に対していつも起上っているのである。【００３６】  第６実施形態
次にこの実施形態の起上り小法師１４は、上述した第１実施形態の起上り小法師１の胴部４に設けられたスリット４０にバリエーションを与えたものとなっている。上述したように振子２０は胴部４のスリット４０部分を通るものであるから、スリット４０の最大幅まで回動する自由があるわけである。この事情は第２実施形態の起上り小法師１０でも同様であり、図４では頭部２２がその顔面部分をボールペン６の側を向いて起上がっている状態が表わされているが、状況によっては頭部２２の後ろ側すなわち顔面ではなく後頭部がボールペン６の側を向いて起上がっている状態となることがある。仮にこの状態を好ましくないと考えるのであれば、この第６実施形態の構成を採用すれば良い。【００３７】  すなわち頭部２８を起すための重り３３を回動自在に納めた胴部４８を、その底部に設けた回転軸５３を以てボールペン６０に回動自在に取り付けた起上り小法師１４の胴部４８のスリット４９は、図８で表わしたように頭部２８が顔面をボールペン６０側に向けて起き上がることが出来る位置にスリット４９の前端縁４００を設けるようにしており、逆に後頭部がボールペン６０の側を向いて起上がってこないように前記回転軸５３とはほぼ反対側の位置に後端縁４０１を設けるようにしている。従って後頭部がボールペン６０の側を向いた状態で頭部２８が起きようとする場合でも頭部２８はボールペン６０の中心軸と同じような位置までしか移動出来ないことになり、所期の目的が達成される。【００３８】  第７実施形態
ところで頭部は用いる素材や飾り付けなどによって重量が重りに対して比較的に大きくなる場合があり、さらに頭部を重くすると頭部が起き上がりにくくなる状況が生ずる。従って頭部の重量は程々なるように各部分を設計する必要があるが、場合によっては頭部を比較的に重くせざるを得ないこともある。【００３９】  このような課題の解決には、胴部側に別の重りを設けて頭部を起す傾向を付与すれば良い。この実施形態の起上り小法師１５を図９で表わすが、これは上述の第１実施形態の起上り小法師１に手を加えたものであり、頭部２９の振子２００には頭部２９を起すための重り３４が取り付けられており、この振子２００は回動軸２０１を以て胴部４０２の内部に回動自在に取り付けられており、また振子２００は胴部４０２のスリット４０３を通って回動自在に設けられている。そしてさらに前記胴部４０２の底部に設けた回転軸５４に、胴部４０２を起すためのすなわち頭部２９を起すための、前記重り３４とは別の重り７が取り付けられているのである。なお前記回転軸５４は、例えば上述したようにボールペンに回動自在に取り付けられる。
【産業上の利用可能性】
【００４０】  なおこの発明は上述した実施形態に限定されないから、従来からある起上がり小法師を自由に選択して利用することが可能である。
【図面の簡単な説明】
【００４１】
【図１】  第１実施形態の部分断面図である。
【図２】  同実施形態の動作状態説明図である。
【図３】  同実施形態の動作状態説明図である。
【図４】  第２実施形態の斜視図である。
【図５】  第３実施形態の部分断面図である。
【図６】  第４実施形態の部分断面図である。
【図７】  第５実施形態の部分断面図である。
【図８】  第６実施形態の説明図である。
【図９】  第７実施形態の説明図である。
【符号の説明】
【００４２】  １    起上り小法師
１０  起上り小法師
１１  起上り小法師
１２  起上り小法師
１３  起上り小法師
１４  起上り小法師
１５  起上り小法師
２    頭部
２０  振子
２１  回動軸
２２  頭部
２３  頭部
２４  回動軸
２５  頭部
２６  溝部
２７  回動軸
２８  頭部
２９  頭部
２００振子
２０１回動軸
３    重り
３０  重り
３１  重り
３２  重り
３３  重り
３４  重り
４    胴部
４０  スリット
４１  軸受
４２  胴部
４３  スリット
４４  基体
４５  軸受
４６  基体
４７  回転軸
４８  胴部
４９  スリット
４００前端縁
４０１後端縁
４０２胴部
４０３スリット
５    回転持手
５０  回転軸
５１  回転持手
５２  回転持手
５３  回転軸
５４  回転軸
６    ボールペン
６０  ボールペン
７    重り
【図１】
2008136828.tif 000003
【図２】
2008136828.tif 000004
【図３】
2008136828.tif 000005
【図４】
2008136828.tif 000006
【図５】
2008136828.tif 000007
【図６】
2008136828.tif 000008
【図７】
2008136828.tif 000009
【図８】
2008136828.tif 000010
【図９】
2008136828.tif 000011